(57)【特許請求の範囲】
【請求項１】
柄体と、その柄体から延出され、毛髪化粧料が付着される基台面を有するブラシ体とを有し、基台面にはブラシ歯が突設され、ブラシ歯の基台面から頂部までの長さが２〜８ｍｍの範囲に設定され、
前記基台面の両側部には、塗布用ブラシ歯列が基台面の長手方向に対して平行方向にそれぞれ複数列設けられ、各塗布用ブラシ歯列を構成するブラシ歯の基台面から頂部までの長さは、塗布用ブラシ歯列が基台面の側縁に向かうに従い短くなるように設定されていることを特徴とする毛髪化粧料用ブラシ。
【請求項２】
前記基台面の両端部には、毛髪化粧料が垂れ落ちるのを規制する規制用ブラシ歯列が基台面の短手方向に対して平行方向にそれぞれ設けられ、規制用ブラシ歯列を構成するブラシ歯の基台面から頂部までの長さは、前記塗布用ブラシ歯列を構成するブラシ歯の基台面から頂部までの長さよりも長くなるようにそれぞれ設定されている請求項１に記載の毛髪化粧料用ブラシ。
【請求項３】
前記毛髪化粧料は、少なくとも増粘剤を含有し、使用するときには、泡状をなして毛髪に塗布されるように構成されている請求項１又は請求項２項に記載の毛髪化粧料用ブラシ。
【発明の詳細な説明】
【０００１】
【発明の属する技術分野】
本発明は、毛髪に染毛剤、ヘアマニキュア、整髪料等の毛髪化粧料を塗布するために用いられる毛髪化粧料用ブラシに関するものである。
【０００２】
【従来の技術】
従来、この種の毛髪化粧料用ブラシとしては、例えば特開２０００−６０６３９号公報、特開２０００―１６６６３５号公報及び特開２０００−２０１７３６号公報に示すような構成のものが知られている。
【０００３】
これら従来構成の毛髪化粧料用ブラシにおいては、柄体と、その柄体から延出され、毛髪化粧料が付着される基台面を有するブラシ体とを有し、基台面には複数本のブラシ歯が突設されている。これらブラシ歯の基台面から頂部までの長さは例えば１０ｍｍを超えるようにそれぞれ設定されている。そして、毛髪化粧料を毛髪に塗布するときには、ブラシ体の基台面に毛髪化粧料を付着させた後に、ブラシ体のブラシ歯で毛髪を梳くことにより、毛髪化粧料を毛髪に塗布するようになっている。
【０００４】
【発明が解決しようとする課題】
ところが、これら従来構成の毛髪化粧料用ブラシにおいては、ブラシ歯の基台面から頂部までの長さは例えば１０ｍｍを超えるように設定されている。このため、ブラシ体の基台面に泡状をなす毛髪化粧料を付着させたときには、消泡が発生してブラシ歯の頂部に付着した毛髪化粧料が基端部に垂れ落ちる。
【０００５】
また、ブラシ体の基台面に液状をなす毛髪化粧料を付着させるときにも、前述と同様に、ブラシ歯の頂部に付着した毛髪化粧料が基端部に垂れ落ちる。よって、毛髪化粧料をブラシ体の基台面に付着させたときには、毛髪化粧料はブラシ歯の基端部のみに付着している。このため、ブラシ体のブラシ歯で毛髪を梳くときに、ブラシ歯の頂部が接触する毛髪の根元には毛髪化粧料を塗布することが難しいという問題があった。
【０００６】
本発明は、上記のような従来技術に存在する問題点に着目してなされたものである。その目的とするところは、毛髪の根元に毛髪化粧料を容易かつ確実に塗布することができる毛髪化粧料用ブラシを提供することにある。
【０００７】
【課題を解決するための手段】
上記の目的を達成するために、請求項１に記載の発明の毛髪化粧料用ブラシは、柄体と、その柄体から延出され、毛髪化粧料が付着される基台面を有するブラシ体とを有し、基台面にはブラシ歯が突設され、ブラシ歯の基台面から頂部までの長さが２〜８ｍｍの範囲に設定され、前記基台面の両側部には、塗布用ブラシ歯列が基台面の長手方向に対して平行方向にそれぞれ複数列設けられ、各塗布用ブラシ歯列を構成するブラシ歯の基台面から頂部までの長さは、塗布用ブラシ歯列が基台面の側縁に向かうに従い短くなるように設定されているものである。
【０００９】
請求項２に記載の発明の毛髪化粧料用ブラシは、請求項１に記載の発明において、前記基台面の両端部には、毛髪化粧料が垂れ落ちるのを規制する規制用ブラシ歯列が基台面の短手方向に対して平行方向にそれぞれ設けられ、規制用ブラシ歯列を構成するブラシ歯の基台面から頂部までの長さは、前記塗布用ブラシ歯列を構成するブラシ歯の基台面から頂部までの長さよりも長くなるようにそれぞれ設定されているものである。
【００１０】
請求項３に記載の発明の毛髪化粧料用ブラシは、請求項１又は請求項２に記載の発明において、前記毛髪化粧料は、少なくとも増粘剤を含有し、使用するときには、泡状をなして毛髪に塗布されるように構成されているものである。
【００１１】
【発明の実施の形態】
以下、本発明を具体化した一実施形態を図面に基づいて詳細に説明する。なお以下の説明においては、図３におけるブラシ体１１を基準にし、ブラシ体１１より上側を前面と称するとともに、下側を背面と称する。
【００１２】
図１に示すように、毛髪化粧料用ブラシ１２は、細長板状をなす柄体１３と、この柄体１３から延出され、前面側が凸となる断面略円弧状のブラシ体１１とから構成されている。
【００１３】
柄体１３及びブラシ体１１は、ＰＰ（ポリプロピレン）、ＬＬＤＰＥ（直鎖状低密度ポリエチレン）、ＬＤＰＥ（低密度ポリエチレン）、ＭＤＰＥ（中密度ポリエチレン）、ＨＤＰＥ（高密度ポリエチレン）、ＡＢＳ（アクリロニトリル−スチレン共重合体とアクリロニトリル−ブタジエン共重合体を混合したもの）、ＡＳ（アクリロニトリル−スチレン共重合体）、ＰＳ（ポリスチレン）、ＰＣ（ポリカーボネート）及びそれらを混合したもの等の合成樹脂材料により、それぞれ形成されている。これらの中でも、引っ張り強さや伸び率等が高いことからＰＰ、ＬＬＤＰＥ、ＬＤＰＥ、ＭＤＰＥ及びＨＤＰＥが好ましい。
【００１４】
図１〜図３に示すように、ブラシ体１１の前面側には、正面略長方形状をなす基台面１４が、ブラシ体１１の基端部（柄体側）から先端部にわたって形成されている。この基台面１４には、丸棒状のブラシ歯１５が複数本突設されている。基台面１４において、その中央部ではブラシ歯１５は基台面１４に対して直交方向に延びるように突設される一方、その両側部では、ブラシ歯１５は中央部に突設されたブラシ歯１５に対して平行方向に延びるように突設されている。
【００１５】
図１及び図３に示すように、基台面１４の左右両側部において、第１塗布用ブラシ歯列１６が基台面１４の中央側に突設されている。さらに、第１塗布用ブラシ歯列１６よりも側縁側に第２塗布用ブラシ歯列１７が突設され、第２塗布用ブラシ歯列１７よりも側縁側に第３塗布用ブラシ歯列１８が突設されている。各塗布用ブラシ歯列１６，１７，１８は、基台面１４の基端部から先端部にわたってそれぞれ突設されるとともに、互いに平行に延びるようにそれぞれ構成されている。そして、これら各塗布用ブラシ歯列１６，１７，１８から塗布用ブラシ歯列が構成されている。
【００１６】
図２（図１のＡ矢視図）に示すように、基台面１４の長手方向において、第１塗布用ブラシ歯列１６を構成するブラシ歯１５としての第１塗布用ブラシ歯１９と第２塗布用ブラシ歯列１７を構成するブラシ歯１５としての第２塗布用ブラシ歯２０とは交互に位置するように構成されている。さらに、第２塗布用ブラシ歯２０と第３塗布用ブラシ歯列１８を構成するブラシ歯１５としての第３塗布用ブラシ歯２１とは、前述と同様に交互に位置するように構成されている。
【００１７】
図２及び図３に示すように、第２塗布用ブラシ歯２０の基台面１４から頂部までの長さは、第１塗布用ブラシ歯１９の基台面１４から頂部までの長さと同じ又はそれよりも短くなるように設定されている。さらに、第３塗布用ブラシ歯２１の基台面１４から頂部までの長さは、第２塗布用ブラシ歯２０の基台面１４から頂部までの長さと同じ又はそれよりも短くなるように設定されている。
【００１８】
各塗布用ブラシ歯１９，２０，２１の基台面１４から頂部までの長さは、第１塗布用ブラシ歯１９、第２塗布用ブラシ歯２０、さらに第３塗布用ブラシ歯２１へと側縁に向かうに従って短く設定されるのが好ましい。
【００１９】
具体的には、第１塗布用ブラシ歯１９の基台面１４から頂部までの長さは２〜８ｍｍ、好ましくは２〜６ｍｍ、さらに好ましくは４〜６ｍｍ、最も好ましくは４〜５ｍｍである。また、第２塗布用ブラシ歯２０の基台面１４から頂部までの長さは２〜８ｍｍ、好ましくは２〜６ｍｍ、さらに好ましくは３〜５ｍｍ、最も好ましくは３〜４ｍｍである。さらに、第３塗布用ブラシ歯２１の基台面１４から頂部までの長さは２〜８ｍｍ、好ましくは２〜６ｍｍ、さらに好ましくは２〜４ｍｍ、最も好ましくは２〜３ｍｍである。
【００２０】
各塗布用ブラシ歯１９，２０，２１の基台面１４から頂部までの長さは、２ｍｍ未満では毛髪を梳くことができない。一方、８ｍｍを超えると、各塗布用ブラシ歯１９，２０，２１を使用して毛髪化粧料を毛髪に塗布するときに、各塗布用ブラシ歯１９，２０，２１の基端部のみに毛髪化粧料が付着し、頂部には毛髪化粧料は付着しない。このため、各塗布用ブラシ歯１９，２０，２１の頂部が接触する毛髪の根元に毛髪化粧料を塗布することができない。
【００２１】
図１〜図３に示すように、基台面１４の両端部には、毛髪化粧料を基台面１４に付着させたときに、毛髪化粧料が基台面１４から垂れ落ちるのを抑制するための規制用ブラシ歯列２２が、基台面１４の短手方向に対して平行方向にそれぞれ突設されている。図２に示すように、各規制用ブラシ歯列２２を構成するブラシ歯１５としての規制用ブラシ歯２３の基台面１４から頂部までの長さは、各塗布用ブラシ歯１９，２０，２１の基台面１４から頂部までの長さと同じ又はそれよりも長くなるようにそれぞれ設定されている。
【００２２】
具体的には、規制用ブラシ歯２３の基台面１４から頂部までの長さは２〜８ｍｍ、好ましくは５〜８ｍｍ、さらに好ましくは５〜７ｍｍである。さらに、基台面１４の先端部に突設された規制用ブラシ歯２３の長さは最も好ましくは６〜７ｍｍである。
【００２３】
規制用ブラシ歯２３の基台面１４から頂部までの長さは、２ｍｍ未満では毛髪化粧料が基台面１４から垂れ落ちるのを抑制することができない。一方、８ｍｍを超えると、毛髪化粧料を毛髪に塗布するときに、各塗布用ブラシ歯１９，２０，２１の頂部を頭皮に当接させることができない。このため、各塗布用ブラシ歯１９，２０，２１を使用して毛髪化粧料を毛髪に塗布するときに、各塗布用ブラシ歯１９，２０，２１の頂部が接触する毛髪の根元に毛髪化粧料を塗布することができない。
【００２４】
基台面１４の中央部には、毛髪化粧料を基台面１４に付着させたときに、毛髪化粧料を基台面１４上に保持するためのブラシ歯１５としての保持用ブラシ歯２４が突設されている。この保持用ブラシ歯２４の基台面１４から頂部までの長さは２〜６ｍｍ、好ましくは２〜４ｍｍ、さらに好ましくは２〜３ｍｍである。そして、保持用ブラシ歯２４の基台面１４から頂部までの長さは、第１塗布用ブラシ歯１９の基台面１４から頂部までの長さよりも短くなるように設定されている。
【００２５】
保持用ブラシ歯２４の基台面１４から頂部までの長さは、２ｍｍ未満では毛髪化粧料を保持することができない。一方、６ｍｍを超えると、保持用ブラシ歯２４の基台面１４から頂部までの長さと第１塗布用ブラシ歯１９の基台面１４から頂部までの長さとの差から生じる毛髪化粧料を保持する空間部が少なくなり、毛髪化粧料が垂れ落ちやすくなる。
【００２６】
さて、この毛髪化粧料用ブラシ１２を使用して、増粘剤を含有し、使用時に泡状をなす毛髪化粧料を毛髪に塗布する場合には、まず基台面１４の中央部に毛髪化粧料を付着させる。このとき、基台面１４に突設された保持用ブラシ歯２４によって、毛髪化粧料は基台面１４上に保持される。
【００２７】
次に、図４に示すように、毛髪化粧料２５がブラシ体１１の基台面１４上に保持された状態（図４の二点鎖線）で、ブラシ体１１の前面を頭皮２６に押し当てる。このとき、各第１塗布用ブラシ歯１９の頂部は頭皮２６にそれぞれ当接する。また、毛髪化粧料２５は、毛髪２７に接触することにより消泡が発生して形態が泡状から液状に変わるとともに、一部が毛髪２７に塗布される。続いて、ブラシ体１１をブラシ体１１の短手方向に移動させるとともに、基台面１４の一側部が頭皮２６から離間するようにブラシ体１１を若干回転させる。
【００２８】
このとき、基台面１４の他側部に突設された各塗布用ブラシ歯１９，２０，２１の頂部が頭皮２６にそれぞれ当接する。また、毛髪化粧料２５の残部は、ブラシ体１１の回転に伴って基台面１４の他側部に移動し、各塗布用ブラシ歯１９，２０，２１によって、毛髪２７の根元から先端までの毛髪２７全体に塗布される。
【００２９】
以上詳述した本実施形態によれば、次のような効果が発揮される。
・  本実施形態の毛髪化粧料用ブラシ１２においては、各塗布用ブラシ歯１９，２０，２１の基台面１４から頂部までの長さは２〜８ｍｍの範囲に設定されている。このため、各塗布用ブラシ歯１９，２０，２１を使用して毛髪化粧料２５を毛髪２７に塗布するときに、毛髪化粧料２５を各塗布用ブラシ歯１９，２０，２１の頂部にも付着させることができる。よって、毛髪２７の根元に毛髪化粧料２５を確実に塗布することができる。特に、毛髪化粧料２５がブラシ歯１５の基端部に溜まりやすい泡状をなす毛髪化粧料２５においても、毛髪２７の根元に毛髪化粧料２５をしっかりと塗布することができる。しかも、毛髪化粧料用ブラシ１２を使用して毛髪化粧料２５を毛髪２７の根元に塗布する操作を繰り返す必要がないために、毛髪２７の根元に毛髪化粧料２５を容易に塗布することができる。
【００３０】
・  本実施形態の毛髪化粧料用ブラシ１２においては、基台面１４の両側部には、各塗布用ブラシ歯列１６，１７，１８がそれぞれ突設されている。そして、第２塗布用ブラシ歯２０の基台面１４から頂部までの長さは、第１塗布用ブラシ歯１９の基台面１４から頂部までの長さと同じ又はそれよりも短くなるように設定されている。さらに、第３塗布用ブラシ歯２１の基台面１４から頂部までの長さは、第２塗布用ブラシ歯２０の基台面１４から頂部までの長さと同じ又はそれよりも短くなるように設定されている。
【００３１】
このため、毛髪化粧料２５を毛髪２７に塗布するときには、毛髪化粧料用ブラシ１２を容易に回転させることができる。よって、毛髪化粧料２５を毛髪２７に容易に塗布することができる。
【００３２】
・  本実施形態の毛髪化粧料用ブラシ１２においては、基台面１４の両端部に規制用ブラシ歯列２２がそれぞれ突設されるとともに、左右両側部に各塗布用ブラシ歯列１６，１７，１８がそれぞれ突設されている。このため、毛髪化粧料２５を基台面１４に付着させるときに、毛髪化粧料２５が基台面１４から垂れ落ちるのを抑制することができる。
【００３３】
・  本実施形態の毛髪化粧料用ブラシ１２においては、基台面１４の先端部に突設された規制用ブラシ歯２３の長さを５〜８ｍｍの範囲に設定することにより、この規制用ブラシ歯２３をスライス用のブラシ歯として使用して、毛髪２７をかき分けることができる。このため、スライス用のブラシ歯により毛髪２７をかき分けた後に、毛髪化粧料２５を塗布する場合には、毛髪２７の根元や内側への毛髪化粧料２５の塗布が容易になるとともに、スライス用のブラシが不要となり、毛髪２７のかき分け操作から毛髪化粧料２５の塗布操作への移行を容易に行うことができる。
【００３４】
・  本実施形態の毛髪化粧料用ブラシ１２においては、ブラシ体１１は、断面略円弧状に形成されている。このため、毛髪化粧料２５を毛髪２７に塗布するときに、ブラシ体１１の回転に伴って、毛髪化粧料２５をブラシ体１１の側部に容易に移動させることができる。
【００３５】
・  本実施形態の毛髪化粧料用ブラシ１２においては、基台面１４の中央に保持用ブラシ歯２４が突設されている。このため、ブラシ体１１の基台面１４に毛髪化粧料２５を付着させるときに、毛髪化粧料２５を基台面１４上の中央部分に保持することができる。
【００３６】
・  本実施形態の毛髪化粧料用ブラシ１２においては、毛髪化粧料２５には増粘剤が含有されている。このため、毛髪化粧料２５をブラシ体１１の基台面１４に付着させるときに、毛髪化粧料２５が基台面１４から垂れ落ちるのを抑制することができる。
【００３７】
なお、前記実施形態を次のように変更して構成することもできる。
・  前記実施形態の毛髪化粧料用ブラシ１２において、図５に示すように、ブラシ体１１を、略細長板状をなすとともに、両側部は、側縁に向かうに従い背面方向に延びるように傾斜状に設けられている形状に変えてもよい。このとき、各塗布用ブラシ歯列１６、１７，１８は、傾斜状をなす両側部にそれぞれ突設されている。
【００３８】
・  前記実施形態の毛髪化粧料用ブラシ１２において、図６に示すように、保持用ブラシ歯２４を省略し、基台面１４に各塗布用ブラシ歯１９，２０，２１と規制用ブラシ歯２３のみを突設してもよい。
【００３９】
・  図７に示すように、基台面１４の先端部に突設された規制用ブラシ歯列２２を構成する各規制用ブラシ歯２３を、頂部に向かうに従い基端から先端方向へ傾斜する傾斜状に突設してもよい。また、規制用ブラシ歯列２２は１列でも複数列でもよい。
【００４０】
・  図８に示すように、各塗布用ブラシ歯１９，２０，２１及び保持用ブラシ歯２４を基台面１４に対して直交方向に延びるようにそれぞれ突設する。さらに、規制用ブラシ歯２３を、基台面１４の中央部では基台面１４に対して直交方向に延びるとともに、その両側部では、中央部に突設された規制用ブラシ歯２３に対して平行方向に延びるように突設してもよい。
【００４１】
・  前記実施形態の毛髪化粧料用ブラシ１２において、前記塗布用ブラシ歯列を、基台面１４の両側部にそれぞれ４列以上突設してもよい。また、それぞれ２列突設してもよい。
【００４２】
・  前記実施形態の毛髪化粧料用ブラシ１２において、前記毛髪化粧料２５を、クリーム状、ゲル状及びペースト状等の形態に変更してもよい。また、増粘剤を省略してもよい。
【００４３】
次に、前記実施形態から把握できる技術的思想について以下に記載する。
（１）前記塗布用ブラシ歯列は、基台面の両側部にそれぞれ３列設けられている前記毛髪化粧料用ブラシ。この構成によれば、毛髪化粧料を毛髪に容易に塗布することができるとともに、毛髪化粧料用ブラシの製作が容易である。
【００４４】
（２）前記ブラシ体の両側部は、側縁に向かうに従いブラシ歯の延びる方向と反対方向に曲がるように湾曲して形成されている前記毛髪化粧料用ブラシ。この構成によれば、毛髪化粧料を毛髪に塗布するときに、ブラシ体の回転に伴って、毛髪化粧料がブラシ体の側部に容易に移動することができる。よって、毛髪の根元に毛髪化粧料をより容易かつ確実に塗布することができる。
【００４５】
（３）前記毛髪化粧料は、使用するときには、泡状をなして毛髪に塗布されるように構成されている前記毛髪化粧料用ブラシ。この構成によれば、毛髪化粧料が基台面から垂れ落ちるのをより抑制することができる。
【００４６】
【発明の効果】
本発明は、以上のように構成されているため、次のような効果を奏する。
請求項１に記載の発明の毛髪化粧料用ブラシによれば、毛髪の根元に毛髪化粧料を容易かつ確実に塗布することができる。
【００４７】
また、毛髪化粧料用ブラシを容易に回転させることができるために、毛髪化粧料を毛髪に容易に塗布することができる。
【００４８】
請求項２に記載の発明の毛髪化粧料用ブラシによれば、請求項１に記載の発明の効果に加え、毛髪化粧料が基台面から垂れ落ちるのを抑制することができる。
請求項３に記載の発明の毛髪化粧料用ブラシによれば、請求項１又は請求項２に記載の発明の効果に加え、毛髪化粧料が基台面から垂れ落ちるのをより抑制することができる。
【図面の簡単な説明】
【図１】  本実施形態の毛髪化粧料用ブラシを示す斜視図。
【図２】  塗布用ブラシ歯列を示す要部拡大側面図（図１のＡ矢視図）。
【図３】  図１の３−３線における断面図。
【図４】  ブラシ体を頭皮に押し付けた状態を示す要部断面図。
【図５】  ブラシ体の別例を示す断面図。
【図６】  ブラシ体の別例を示す断面図。
【図７】  ブラシ体の別例を示す要部拡大側面図。
【図８】  ブラシ体の別例を示す断面図。
【符号の説明】
１１…ブラシ体、１２…毛髪化粧料用ブラシ、１３…柄体、１４…基台面、１５…ブラシ歯、１６…塗布用ブラシ歯列としての第１塗布用ブラシ歯列、１７…塗布用ブラシ歯列としての第２塗布用ブラシ歯列、１８…塗布用ブラシ歯列としての第３塗布用ブラシ歯列、１９…塗布用ブラシ歯列を構成するブラシ歯としての第１塗布用ブラシ歯、２０…塗布用ブラシ歯列を構成するブラシ歯としての第２塗布用ブラシ歯、２１…塗布用ブラシ歯列を構成するブラシ歯としての第３塗布用ブラシ歯、２２…規制用ブラシ歯列、２３…規制用ブラシ歯列を構成するブラシ歯としての規制用ブラシ歯、２５…毛髪化粧料。
【図１】
0004728520.tif 000002
【図２】
0004728520.tif 000003
【図３】
0004728520.tif 000004
【図４】
0004728520.tif 000005
【図５】
0004728520.tif 000006
【図６】
0004728520.tif 000007
【図７】
0004728520.tif 000008
【図８】
0004728520.tif 000009